(57)【特許請求の範囲】
【請求項１】
ディスク状記録媒体を収納し、シャッタ部材により開閉される開口部を有するカートリッジと、シャッタ開蓋部材と、回動軸を中心に付勢手段により一方向に付勢された状態で回動可能に設け、かつ一端に前記カートリッジと当接する第１の回動制御部を有すると共に、他端にシャッタ閉蓋爪を有するシャッタ閉蓋部材とを設け、前記カートリッジを挿入開口部から挿入移送して装着し、押し出し移送して前記挿入開口部から外部に取り出すようにし、かつ前記挿入開口部からの前記カートリッジの挿入移送に伴って前記シャッタ部材が前記シャッタ開蓋部材に当接し、該当接状態で前記カートリッジが移送され前記シャッタ部材の移動が阻止されることによって前記開口部が開口されるディスク装置であって、前記付勢手段の一部に弾性変形可能でかつ前記カートリッジと当接可能な第２の回動制御部を設け、前記カートリッジの前記挿入開口部からの挿入移送に伴って前記第２の回動制御部に前記カートリッジが当接することにより、前記付勢手段の反力によって前記シャッタ閉蓋部材が前記一方向とは反対方向へ回動し、その後前記第１の回動制御部に前記カートリッジが当接することにより前記シャッタ閉蓋部材が回動される構成とし、前記シャッタ閉蓋部材の回動により前記シャッタ閉蓋爪が前記シャッタ部材に設けた孔に嵌入し、かつ前記シャッタ閉蓋爪が前記孔に嵌入した状態で前記カートリッジを押し出し移送することにより前記開口部が前記シャッタ部材によって閉じられるように構成したことを特徴とするディスク装置。
【請求項２】
シャッタ閉蓋部材は第１の回動制御部の近傍においてくびれ部を有することを特徴とする請求項１記載のディスク装置。
【請求項３】
シャッタ閉蓋爪はその装置前面側において、シャッタ閉蓋部材の回動軌跡に対して略接線方向の輪郭をなすことを特徴とする請求項１記載のディスク装置。
【請求項４】
付勢手段はシャッタ閉蓋部材に係着されており、第２の回動制御部は弾性変形可能な梁構造をなすことを特徴とする請求項１乃至３記載のディスク装置。
【請求項５】
付勢手段は線ばねで構成されることを特徴とする請求項１乃至４記載のディスク装置。
【請求項６】
カートリッジを装置に装着する間に前記カートリッジをシャッタ部材側に付勢する付勢手段を有することを特徴とする請求項１乃至５記載のディスク装置。
【発明の詳細な説明】
【０００１】
【発明の属する技術分野】
本発明は、ディスクカートリッジのシャッタ部材を操作するシャッタ開閉機構を有するディスク装置に関する。
【０００２】
【従来の技術】
従来より、光ディスクや光磁気ディスク等の記録ディスクがカートリッジに回転可能に収納されて構成されたディスクカートリッジが提案されている。これらディスクカートリッジには、開口部が形成されており、この開口部を介して光学ピックアップ装置や磁気ヘッド装置が記録ディスクに対して臨むことが可能となり、情報信号の書き込み及び読み出しが可能となっている。
【０００３】
ここで、これらディスクカートリッジにおける開口部は、カートリッジにスライド可能に取り付けられたシャッタ部材により開閉可能となされている。すなわち、ディスクカートリッジの非使用時においては、シャッタ部材が、開口部を閉蓋することにより、カートリッジ内への塵挨や手指の進入を防止し、ディスクカートリッジ使用時においては前述のように、シャッタ部材がスライドして開口部が形成される。
【０００４】
そして、これら記録再生装置には、ディスクカートリッジのこの記録再生装置への挿入及び取り出しに応じてシャッタ部材を開閉操作するためのシャッタ開閉機構が設けられている。
このシャッタ開閉機構は、通常、カートリッジに対してシャッタ部材をスライドさせて開口部を開放させるシャッタ開放爪と、カートリッジに対してシャッタ部材をスライドさせて開口部を閉蓋させるシャッタ閉蓋爪とを有して構成されており、特に近年は、装置の小型、軽量化に対する要望が強く、シャッタ開閉機構についても簡単な構成で確実に機能が発揮できる高性能のものが求められているのが現状である。
【０００５】
かかる状況の中、簡単な構成のシャッタ開閉機構の従来技術として特開平８−４５１５９号公報が挙げられる。
以下、同公報に記載されたシャッタ開閉機構について説明する。
まず、同公報の図９はディスクが回転可能に収納されたカートリッジ１０５を示す。
【０００６】
ここで、カートリッジ１０５は上面側の主面部に、ディスクの信号記録面の一部を外方に臨ませるための磁気ヘッド用開口部１２３を有しており、下面側の主面部の前記磁気ヘッド用開口部１２３に対向する位置に光学ピックアップ用開口部１２２を有している。この磁気ヘッド用開口部１２３及び上記光学ピックアップ用開口部１２２は、シャッタ部材１０６に依って開閉可能となされており、シャッタ部材１０６は、これら開口部１２３，１２２に対応した互いに平行に相対向された上側及び下側蓋板部と、これら各蓋板部の一端側同士間を連結する被支持板部とを有して、薄い金属板材料により、一体的に構成され、前記被支持板部を、カートリッジ１０５の一側部に前後方向に亘って形成されたガイド溝部１０７に沿って摺動可能に支持されている。
【０００７】
また、同公報の図８において、回動部材１０は、合成樹脂等で形成され、支持孔５７を中心に反時計方向に付勢されている。その前端側にはカートリッジ１０５内方側に向けてシャッタ閉蓋爪６０が、後端側にはカートリッジ１０５内方側に臨んだ回動操作片部６１が一体的に設けられている。
次に、動作を説明する。
【０００８】
まず、同公報の図７中矢印Ｂの方向にカートリッジ１０５が挿入操作された時、シャッタ閉蓋爪６０は、カートリッジ１０５右側面のシャッタ部材１０６より離間した位置にある。さらにカートリッジ１０５が挿入されるとカートリッジ１０５が回動操作片部６１に当接し、回動部材１０は図８中矢印Ｄ方向に回動してシャッタ閉蓋爪６０が閉蓋操作孔１０８に嵌入係合する。さらにカートリッジ１０５が挿入されるとシャッタ開放爪５９が、シャッタ部材１０６の被支持板部の前端部に当接し、シャッタ部材１０６の移動を阻止するため、カートリッジ１０５の進入に伴って、開口部１２２，１２３が開放される。
【０００９】
次に、カートリッジ１０５を装置から抜き取る時は、シャッタ閉蓋爪６０と閉蓋操作孔１０８との係合により、シャッタ部材１０６の移動が阻止され、カートリッジ１０５を装置から抜き取るにともない、開口部１２２，１２３が閉蓋される。
さらにカートリッジ１０５が装置から抜き取られるに従い、開口部１２２，１２３が閉蓋されるタイミングで、カートリッジ１０５の回動操作片部６１への当接が解除され、回動部材１０は、付勢力により回動し、初期位置に復帰される。
【００１０】
回動部材１０が初期位置に復帰することにより、シャッタ閉蓋爪６０と閉蓋操作孔１０８との係合も解除され、カートリッジ１０５を装置より抜き取ることが可能となる。
しかし、上記従来のシャッタ開閉機構においては、以下の課題があった。
まず、カートリッジを装置に挿入する時に、回動操作片部とカートリッジの当接により回動部材が付勢力に抗して回動するタイミングと、シャッタ閉蓋爪と閉蓋操作孔が対向するタイミングを比較すると、前者が後者よりも早い場合は、シャッタ部材の孔が無い部分にシャッタ閉蓋爪が当接してなお回動部材を無理に変形させようとすることから過大負荷がかかることになる。また、後者が前者よりも早い場合は、シャッタ開放爪の設置位置のばらつきにより、同様に回動部材を無理に変形させようとする過大負荷がかかることになる。
【００１１】
カートリッジを装置から抜き取る時も同様で、回動操作片部とカートリッジの当接が解除されて回動部材が付勢力により元の位置に復帰するタイミングと、開口部が完全に閉蓋されるタイミングを比較すると、前者が後者よりも早い場合は、開口部が閉蓋されない状態でカートリッジが装置外に排出されることとなり、後者が前者よりも早い場合は、カートリッジが装置から取り出せなくなる。
【００１２】
さらに、回動操作片部と当接して回動部材の回動動作を制御するのは、カートリッジ側面の直線形状部ではなく、カートリッジ角の円形形状部が支配的であり、この形状についてはカートリッジの規格で詳細に決まっておらず、製造メーカーによる寸法ばらつきが十分考えられる。つまり、使用するカートリッジによっては、上記課題が発生する可能性が十分考えられるのである。
【００１３】
また、操作者による何らかの誤操作によってシャッタが少し開いた状態のままカートリッジを装置に挿入した場合、上記構成のシャッタ開閉機構では、過大負荷がかかり、スムーズに挿入操作が出来ないという課題があった。
そこで、本願発明は上記従来の課題を解決しようとするものであり、簡単な構成で安価に実現出来、信頼性が高く、しかも誤操作に対しても確実に動作するシャッタ開閉機構を備えたディスク装置を提供することを目的とする。
【００１４】
【課題を解決するための手段】
上記課題を解決するため、本願発明は、ローディングシャーシ上に一方向に付勢されて回動可能に設けられたシャッタ閉蓋部材とシャッタ開蓋部材を有し、シャッタ閉蓋部材及びその付勢手段の双方にシャッタ閉蓋部材の回動制御部を設け、カートリッジを装置に装着する際にはまず付勢手段上の回動制御部とカートリッジが、そしてシャッタ閉蓋部材上の回動制御部とカートリッジが当接することによりシャッタ部材の孔にシャッタ閉蓋部材が係合し、その後シャッタ開蓋部材がシャッタ部材を開蓋すること、としたものであり、構成が簡単で単純形状の部品とすることができる為、安価な材料が使用出来、信頼性が高く、しかも誤操作に対しても確実に動作する信頼性の高いシャッタ開閉機構を備えたディスク装置を提供することが出来る。
【００１５】
【発明の実施の形態】
本願発明は、ディスク状記録媒体を収納し、シャッタ部材により開閉される開口部を有するカートリッジと、シャッタ開蓋部材と、回動軸を中心に付勢手段により一方向に付勢された状態で回動可能に設け、かつ一端に前記カートリッジと当接する第１の回動制御部を有すると共に、他端にシャッタ閉蓋爪を有するシャッタ閉蓋部材とを設け、カートリッジを挿入開口部から挿入移送して装着し、押し出し移送して挿入開口部から外部に取り出すようにし、かつ挿入開口部からのカートリッジの挿入移送に伴ってシャッタ部材がシャッタ開蓋部材に当接し、該当接状態でカートリッジが移送されシャッタ部材の移動が阻止されることによって開口部が開口されるディスク装置であって、付勢手段の一部に弾性変形可能でかつカートリッジと当接可能な第２の回動制御部を設け、カートリッジの挿入開口部からの挿入移送に伴って第２の回動制御部に前記カートリッジが当接することにより、付勢手段の反力によってシャッタ閉蓋部材が一方向とは反対方向へ回動し、その後第１の回動制御部にカートリッジが当接することによりシャッタ閉蓋部材が回動される構成とし、シャッタ閉蓋部材の回動によりシャッタ閉蓋爪がシャッタ部材に設けた孔に嵌入し、かつシャッタ閉蓋爪が孔に嵌入した状態でカートリッジを押し出し移送することにより開口部がシャッタ部材によって閉じられるように構成したものであり、かかる構成とすることにより、簡単な構成で、確実な動作を保証するシャッタ開閉機構を有するディスク装置を提供出来る。
【００１６】
また、本願発明は、シャッタ閉蓋部材の一部にくびれ部を設けているため、誤って操作された場合でも部品の破損等が生じることがない。
さらに、シャッタ閉蓋爪の形状の特徴から、シャッタが開放された状態のカートリッジの挿入を防止出来る。
（実施の形態１）
以下、図面を用いて本願発明の実施の形態について説明する。
【００１７】
図１は本願発明のディスク装置に装着されるディスクカートリッジの斜視図であり、図１に示すように、ディスク媒体を、カートリッジ１０５に回転可能に収納して構成されたものである。
ここでカートリッジ１０５は、上ハーフ及び下ハーフが突き合わせ結合されることにより、一辺の長さがディスク媒体の直径に略々対応した矩形状の主面部を有する薄い筐体状に構成されている。このカートリッジ１０５は、図１に示すように、上面側の主面部に、ディスク媒体の信号記録面の一部を外方に臨ませるための磁気ヘッド用開口部１２３を有している。この磁気ヘッド用開口部１２３は、上ハーフの主面部の略々中央部分より、この主面部の一側縁部近傍に亘って、長方形状に形成されている。また、このカートリッジ１０５は、下面側の主面部の上記磁気ヘッド用開口部１２３に対向する位置に光学ピックアップ用開口部１２２を有している。カートリッジ１０５は、ディスク装置に対して、図１中矢印Ｂで示すように、装置の前面から挿入されて装着される。以降、装置を基準としてカートリッジ１０５の挿入開口部のある側を前方、その反対側を後方と称する。
【００１８】
また、カートリッジ１０５において、前記磁気ヘッド用開口部１２３及び前記光学ピックアップ用開口部１２２は、シャッタ部材１０６に依って開閉可能となされている。このシャッタ部材１０６は、これら開口部１２３，１２２に対応した互いに平行に相対向された上側及び下側蓋板部と、これら各蓋板部の一端側同士間を連結する被支持板部とを有して、薄い金属板材料又は樹脂材料により、一体的に構成されている。このシャッタ部材１０６は、上記被支持板部を、カートリッジ１０５の一側部に前後方向に亘って形成されたガイド溝部１０７に沿って摺動可能に支持されている。なお、このガイド溝部１０７は、カートリッジ１０５の挿入方向の前端面部にまで亘って形成され、この前端面部に対し開放されている。
【００１９】
シャッタ部材１０６には、被支持板部の略々中央位置に、側方側に向けて、閉蓋操作孔１０８が開設されている。この閉蓋操作孔１０８は、ディスク装置においてシャッタ部材１０６を閉蓋操作するためのシャッタ閉蓋爪が嵌入係合するための透孔である。
カートリッジ１０５内には、前方側の一側側部分に位置して、図２に示すように、ロック部材１２５が配設されている。このロック部材１２５は、支軸部と、この支軸部より突出形成された支持腕部及びロック腕部とを有して、合成樹脂材料により、一体的に形成されている。このロック部材１２５は、上記支軸部を、カートリッジ１０５内の嵌合凹部に嵌合させて配設されている。そして、このロック部材１２５は、上記支持腕部をカートリッジ１０５内に突設された壁部に当接させて上記支軸部回りの回動を阻止された状態で、上記ロック腕部を上記ガイド溝部１０７内に内側側より臨ませている。このロック腕部は、上記ロック部材１２５の弾性力により、外方側に弾性付勢されている。
【００２０】
前記ロック腕部は、シャッタ部材１０６が閉蓋位置にあるときに、このシャッタ部材１０６に係合し、シャッタ部材１０６の移動を阻止する。
また、ロック腕部は、ロック部材１２５の弾性力に抗して内方側に変位されると、上記シャッタ部材１０６への係合を解除し、シャッタ部材１０６が後方側へ移動することが可能となる。また、ロック腕部は、シャッタ部材１０６が閉蓋位置に戻ると、付勢力により、シャッタ部材１０６に係合する。
【００２１】
また図２においてカートリッジ１０５は左側側面に係止部１２６を有し、ローディング時に引き込み部材と係合することによって、装置内部に挿入されることが可能となっている。
図３はカートリッジ１０５の排出位置における主要構成部材を示す斜視図、図４乃至６は、カートリッジ１０５が排出位置から演奏位置まで移動する途中経過での主要構成部材を示す平面図であり、図７はシャッタクローザ及びシャッタクローザばねの構成をしめす平面図である。
【００２２】
図７において、シャッタクローザ１は図示しないローディングシャーシ上に設けられたボスを中心に回動自在に設けられ、図７に示すようにクローザ爪１１及び回動制御部１３が設けられている。クローザ爪１１はその一端を傾斜部１２、他端を防護壁１６としている。
シャッタクローザばね２はシャッタクローザ１の回動中心となるボスの周りに装着されており、その一端がローディングシャーシ上に設けられた係止部１０１に係止され、他端は折り曲げ部２１を経て長孔１４に係止されており、シャッタクローザ１を反時計方向に付勢し、ローディングシャーシ上のストッパー１０２で止められている。さらにシャッタクローザばね２は、シャッタクローザ１上のボス１５にも係止されているため、折り曲げ部２１に外力が加われば時計方向に回動し、この場合、ばね係止ボス１５とシャッタクローザばね２の接点からの反力によって、時計方向の付勢力を得る。尚、シャッタクローザばね２は線ばねで構成されており、板ばねに比べて安価であり表面硬度も高く摩耗に強いという特徴がある上に、摩擦係数も低いため、板ばねでよく使用される潤滑性向上のための表面コーティング処理が不要である。
【００２３】
シャッタオープナ３は、シャッタクローザ１に覆い被さるようにローディングシャーシ上に固定され、その上には第１受動ローラ５を回転自在に設けている。また、ローディングシャーシ上にはシャッタクローザ１の前方側に第２受動ローラ４が回転自在に設けられている。
カートリッジ１０５の左側については、引き込みラック７がローディングシャーシ上で前後方向に摺動可能に設けられており、図示しない駆動手段により駆動される。引き込みラック７上には、引き込みアーム６がアーム戻しばね８により、図４において反時計方向に付勢されている。また、引き込みアーム６の端部には引き込み爪６１が設けられており、カートリッジ１０５左側の係止部１２６に係合することによりカートリッジ１０５を確実に装置内に引き込む構成となっている。
【００２４】
さらに引き込み爪６１の近傍にはカートリッジ押さえ部６２を有しており、ローディング途中においてカートリッジ１０５を装置右側、即ちシャッタ部材側に付勢する役割を果たしている。
また図３に示すように、引き込みアーム６上にはボス６３が設けられ、ローディングシャーシ上の部材に設けられたカム溝９１によって制御される。尚、当該部材については複雑となるのをさけるため、カム溝９１のみを図示し、その輪郭形状は示していない。
【００２５】
次に、動作について説明する。
まず、図４のカートリッジ１０５の排出位置において、引き込みアーム６はカム溝９１の制御によりアーム戻しばね８の付勢力に抗して時計方向に回転した状態、つまり、引き込み爪６１がカートリッジ１０５の左外側に待避した状態となっている。また、シャッタクローザ１は反時計方向に付勢されており、クローザ爪１１がカートリッジ１０５の右外側に待避した状態となっている。
【００２６】
ここで、カートリッジ１０５が挿入されると、図４においてカートリッジ１０５の進行方向前方の外側面に押圧されて引き込みアーム６が引き込みラック７とともに装置後方に移動しながらカム溝９１の制御により反時計方向に回動し、引き込み爪６１とカートリッジ１０５の係止部１２６が係合する（図５参照）。この時、図示しない駆動手段のスイッチが入り、以降の動作は駆動手段により引き込み爪６１を介してカートリッジ１０５が装置後方に駆動されることとなる。
【００２７】
またこの時、引き込みアーム６はアーム戻しばね８により反時計方向に付勢されているため、カートリッジ１０５はカートリッジ押さえ部６２によって装置右方向に付勢されるが、カートリッジ１０５の右側面は第２受動ローラ４と当接しており、第２受動ローラ４はカートリッジ１０５の動きと連動して回転し、カートリッジ１０５はスムーズに装置後方へ移送される。かかる構成により、カートリッジ１０５が装置に対して片寄せ付勢され、シャッタ部材の通過位置が安定し、シャッタ開閉機構が誤動作することなく確実にローディング動作がなされるものである。ここで、引き込みアーム６上のボス６３はカム溝９１のどちらの壁面にも当接していない状態となっている。またこの時、シャッタオープナ３はカートリッジ１０５右側面のガイド溝部１０７の内部に入り込んだ状態となっている。
【００２８】
カートリッジ１０５がさらに装置後方へ移送されると、シャッタオープナ３がガイド溝部１０７内に内側より臨ませて構成されるロック部材１２５のロック腕部に当接し、その付勢力に抗してロック腕部はカートリッジ１０５内側に向けて弾性変形し、シャッタ部材１０６のロックが解除される。次にシャッタオープナ３はシャッタ部材１０６の被支持板部に当接し、カートリッジ１０５がさらに装置後方へ移送されてもシャッタ部材１０６は移動を阻止されるため、開口部１２２，１２３が開放される。開口部１２２，１２３の開放動作の開始状態を図５に示す。
【００２９】
さらにカートリッジ１０５が装置後方に移送されると、カートリッジ１０５の進行方向先端右側とシャッタクローザばね２の折り曲げ部２１とが当接を開始し、シャッタクローザ１はシャッタクローザばね２の付勢力に抗して時計方向に回動を開始し、シャッタクローザ１のクローザ爪１１がシャッタ部材１０６上の閉蓋操作孔１０８に嵌入を開始する。この時、シャッタクローザ１は、通常はばね係止孔１４にシャッタクローザばね２が図７に示したように係止していることにより反時計方向に付勢されているのに対し、折り曲げ部２１にカートリッジ１０５が当接した場合には、ばね係止ボス１５とシャッタクローザばね２との接点において、シャッタクローザばね２からの反力としての時計方向のモーメントを受ける為、折り曲げ部２１と一体的に回動を行うものである。
【００３０】
この時、もし誤って、シャッタ部材１０６が完全に開放しきった状態のカートリッジ１０５が装着されようとすれば、クローザ爪１１の装置前面の防護壁１６が、シャッタクローザ１の回動軌跡に沿った形状となっているため、図１０に示すごとく、シャッタ部材１０６と防護壁１６がひっかかり、装着できない構成となっている。ここで、図１０の前面パネル位置からもわかるように、シャッタ部材１０６と防護壁１６がひっかかるのはカートリッジ１０５が完全に装置内部に入ってからであり、操作者の強制的な挿入力による破壊を防止することが出来る。尚、装置内部の駆動手段の駆動力程度では、シャッタクローザをはじめとする各部材は破壊しないだけの強度が確保されている。
【００３１】
ここで、前述したシャッタオープナ３とシャッタ部材１０６の被支持板部との当接のタイミングよりカートリッジ１０５と折り曲げ部２１とが当接するタイミングが早い場合は、閉蓋操作孔１０８がクローザ爪１１と対面する位置まで移動しないうちにクローザ爪１１がシャッタ部材１０６に当接し、なおもシャッタクローザ１を時計方向に回動しようとするが、このような場合はシャッタクローザばね２がたわむことによりばらつきを吸収することができる。そしてカートリッジ１０５が回動制御部１３に当接するまでには確実にクローザ爪１１の閉蓋操作孔１０８への嵌入が完了する。
【００３２】
その後、カートリッジ１０５はさらに装置後方へ移送され、その側面が回動制御部１３に当接することにより、クローザ爪１１が確実に閉蓋操作孔１０８へ嵌入した状態を確保しつつ、カートリッジ１０５の左側からのカートリッジ押さえ部６２の付勢力に対して、右側の第１受動ローラ５及び第２受動ローラ４によりガイドされ、過大な負荷なくスムーズに進入を続け、カートリッジ１０５が演奏位置に達した時は開口部１２２，１２３が完全に開放された状態となる。これを図６に示す。
【００３３】
尚、上記挿入操作の中で、誤操作により、シャッタ部材１０６が少し開いた状態、つまり開口部１２３，１２２が開いた状態でカートリッジ１０５が挿入された場合、クローザ爪１１が閉蓋操作孔１０８に嵌入していない状態のままでカートリッジ１０５が回動制御部１３と当接することになるが、かかる場合、図７のようにシャッタクローザ１にくびれ部１７を設けているため、図９に示すようにシャッタクローザ１自身が弾性変形し、部品が破損することもない。
【００３４】
次に、カートリッジ１０５取り出し時の動作について説明する。
まず、取り出しボタンが押されることにより、図示しない駆動手段が引き込みラック７を装置前方に移送を開始し、引き込みアーム６を介してカートリッジ１０５は演奏位置から装置前方に向けて移送される。この時、クローザ爪１１は閉蓋操作孔１０８に嵌入した状態であり、回動制御部１３がカートリッジ１０５と係合しているため、シャッタクローザ１１は回動できず、カートリッジ１０５は移送されてもシャッタ部材１０６は移送を阻止される。
【００３５】
続いてカートリッジ１０５が装置前方に移送されると、シャッタクローザ１上の回動制御部１３とカートリッジ１０５の当接が解除される。この時、シャッタクローザばね２の折り曲げ部２１とカートリッジ１０５とはまだ当接しているため、クローザ爪１１は閉蓋操作孔１０８に嵌入した状態のままである。
さらにカートリッジ１０５が装置前方に移送され、開口部１２３，１２２が完全に閉じた状態になるのと相前後して、シャッタオープナ３とロック部材１２５の当接は解除され、ロック腕部は自身の弾性力により元の位置に戻り、シャッタ部材１０６は再びロックされる。
【００３６】
次に、シャッタクローザばね２の折り曲げ部２１とカートリッジ１０５との当接は解除され、シャッタクローザ１は付勢力に従い、反時計方向に回動し、クローザ爪１１はカートリッジ１０５の側面外側まで待避する。
尚、ここで、折り曲げ部２１とカートリッジ１０５との当接の解除については、折り曲げ部２１の傾斜部とカートリッジ１０５の円形状角部の当接状態が、カートリッジ１０５の移動に伴い連続的に変化するものであり、カートリッジ１０５の装置前方への移送に伴い、シャッタクローザ１は徐徐に反時計方向への回動を行い、クローザ爪１１は閉蓋操作孔１０８への嵌入位置からカートリッジ１０５外側の待避位置まで移動する。
【００３７】
従って、開口部１２３，１２２が完全に閉じた時点で、クローザ爪１１の閉蓋操作孔１０８への嵌入度合いは、各部材の寸法ばらつきやカートリッジ１０５角部の形状の差違により異なる。この嵌入度合いが小さい場合、カートリッジ１０５はスムーズに装置前方へ移送され、また嵌入度合いが大きい場合でも、クローザ爪１１には傾斜部１２が設けてあるため、カートリッジ１０５が装置前方へ移送されるのに伴い、シャッタクローザばね２をたわませながらシャッタクローザ１は反時計方向に回動し、クローザ爪１１は閉蓋操作孔１０８から待避する。
【００３８】
その後、カートリッジ１０５は引き込みアーム６によってさらに装置前方へ移送され、排出位置近傍まで移送された時点で引き込みアーム６がボス６３を介してカム溝９１により時計方向に回動制御されることにより、引き込み爪６１とカートリッジ１０５左側面の係止部１２６との係合が解除され、カートリッジ押し出し部６４によりさらに装置全面に押し出され、装置外部に取り出し可能となる。
（実施の形態２）
次に本発明の実施の形態２について説明する。
【００３９】
図８は本実施の形態におけるシャッタクローザ１及びシャッタクローザばね２の構成をしめす平面図である。
実施の形態１との相違点は、クローザ爪１１がシャッタクローザばね２の折り曲げで構成されている点及び、シャッタクローザばね２に第２の回動制御部としての折り曲げ部２１が構成されていない点である。
【００４０】
以下、本実施の形態について、その動作を説明する。
シャッタオープナ３が、シャッタ部材１０６のロックを解除するところまでは実施の形態１と同様である。
さらにカートリッジ１０５が装置後方に移送されると、カートリッジ１０５の進行方向先端右側と回動制御部１３が当接することにより、シャッタクローザ１はシャッタクローザばね２の付勢力に抗して時計方向に回動を開始し、シャッタクローザ１のクローザ爪１１がシャッタ部材１０６に当接を開始し、カートリッジ１０５がさらに装置後方に進入するに伴いシャッタクローザ１はさらに時計方向に回動され、シャッタクローザばね２は弾性変形し、閉蓋操作孔１０８がクローザ爪１１に相対する位置まで来たときにクローザ爪１１は閉蓋操作孔１０８に嵌入する。
【００４１】
その後、カートリッジ１０５はさらに装置後方へ移送され、実施の形態１と同様、カートリッジ１０５の左側からのカートリッジ押さえ部６２の付勢力に対して、右側の第１受動ローラ５及び第２受動ローラ４によりガイドされ、過大な負荷なくスムーズに進入を続け、カートリッジ１０５が演奏位置に達した時は開口部１２２，１２３が完全に開放された状態となる。
【００４２】
尚、上記挿入操作の中で、誤操作により、シャッタ部材１０６が少し開いた状態、つまり開口部１２３，１２２が開いた状態でカートリッジ１０５が挿入された場合、クローザ爪１１が閉蓋操作孔１０８に嵌入していない状態のままでカートリッジ１０５が回動制御部１３と当接することになるが、かかる場合、シャッタクローザばね２が大きく弾性変形し、部品が破損することもない。
【００４３】
次に、カートリッジ１０５取り出し時の動作について説明する。
まず、取り出しボタンが押されることにより、カートリッジ１０５が装置前方に移送され、シャッタクローザ１上の回動制御部１３とカートリッジ１０５の当接が解除し始める時までは実施の形態１と同様である。
この時、シャッタクローザばね２上のクローザ爪１１は閉蓋操作孔１０８に嵌入した状態のままであり、さらにカートリッジ１０５が装置前方に移送されることにより、開口部１２３，１２２が完全に閉じた状態になると、閉蓋操作孔１０８がカートリッジ１０５とともに装置前方に移動するが、クローザ爪１１には傾斜部１２が設けてあるため、シャッタクローザばね２をたわませながらクローザ爪１１は閉蓋操作孔１０８から待避してゆく。
【００４４】
開口部１２３，１２２が完全に閉じた状態になるのと相前後して、シャッタオープナ３とロック部材１２５の当接は解除され、シャッタ部材１０６は再びロックされる。
その後、カートリッジ１０５は引き込みアーム６によってさらに装置前方へ移送され、排出位置近傍まで移送された時点で引き込みアーム６がボス６３を介してカム溝９１により時計方向に回動制御されることにより、引き込み爪６１とカートリッジ１０５左側面の係止部１２６との係合が解除され、カートリッジ押し出し部６４によりさらに装置全面に押し出され、装置外部に取り出し可能となる。
【００４５】
以上のように、本実施の形態においては、カートリッジ１０５の閉蓋操作孔１０８に嵌入するクローザ爪１１が線ばねによって形成されているため、耐摩耗性、摺動性に優れ、金属等で構成されるシャッタ部材１０６に仮にバリや傷等が発生していてもそれに抗することができ、クローザ爪に傷が生じることもなく、性能を確保出来る。
【００４６】
【発明の効果】
本発明のディスク装置によれば、カートリッジ挿入時、シャッタ閉蓋部材が回動制御部とカートリッジの当接により回動するタイミングの方が、シャッタ閉蓋爪と閉蓋操作孔が対向するタイミングより早い場合に、シャッタ部材の閉蓋操作孔が無い部分にシャッタ閉蓋爪が当接しても、第２の回動制御部が弾性変形することによりシャッタ閉蓋部材を無理に変形させようとするような過大負荷がかかることが無く、誤動作を防止できる。そしてカートリッジが第１の回動制御部に当接するまでにはシャッタ閉蓋爪の閉蓋操作孔への嵌入が完了し、確実な操作が行われる。
また、カートリッジ抜き取り時、第１の回動制御部とカートリッジの当接が解除されるタイミングの方が、開口部が完全に閉蓋されるタイミングより早い場合でも、第２の回動制御部がカートリッジと当接していることにより完全に閉蓋が完了し、開口部が閉蓋されない状態のままカートリッジが装置外に排出されるというようなことも防止できる。
さらに、シャッタ部材が少し開いた状態でカートリッジが装置に挿入された場合でも、第２の回動制御部やシャッタ閉蓋部材のくびれ部が弾性変形するので各部に過大負荷がかかることも無く、スムーズに挿入操作ができる。
以上のように、本発明のディスク装置によれば、ディスクカートリッジのシャッタ開閉機構に関して、簡単な構成で安価に実現出来、信頼性が高く、しかも誤操作に対しても確実に動作するシャッタ開閉機構を備えたディスク装置を提供することが出来るものである。
【図面の簡単な説明】
【図１】カートリッジ斜視図
【図２】カートリッジ平面図
【図３】本発明の主要構成部材を示す斜視図
【図４】カートリッジ排出位置における本発明の主要構成部材を示す平面図
【図５】シャッタ開閉動作開始位置における本発明の主要構成部材を示す平面図
【図６】カートリッジ演奏位置における本発明の主要構成部材を示す平面図
【図７】本発明の１実施例におけるシャッタクローザユニットの構成を示す平面図
【図８】本発明の他の実施例におけるシャッタクローザユニットの構成を示す平面図
【図９】誤操作時における本発明のシャッタクローザのたわみを示す平面図
【図１０】誤操作時における本発明のシャッタクローザの機能を示す平面図
【符号の説明】
１    シャッタクローザ
２    シャッタクローザばね
３    シャッタオープナ
４    第２受動ローラ
５    第１受動ローラ
６    引き込みアーム
７    引き込みラック
８    アーム戻しばね
１１  クローザ爪
１２  傾斜部
１３  回動制御部
１５  ばね係止ボス
２１  折り曲げ部
６１  引き込み爪
６２  カートリッジ押さえ部
６３  ボス
６４  カートリッジ押し出し部
１０５  カートリッジ
１０６  シャッタ部材
１０７  ガイド溝部
１０８  閉蓋操作孔
１２５  ロック部材
１２６  係止部
【図１】
0003613011.tif 000002
【図２】
0003613011.tif 000003
【図３】
0003613011.tif 000004
【図４】
0003613011.tif 000005
【図５】
0003613011.tif 000006
【図６】
0003613011.tif 000007
【図７】
0003613011.tif 000008
【図８】
0003613011.tif 000009
【図９】
0003613011.tif 000010
【図１０】
0003613011.tif 000011